(57)【要約】【課題】  固定長のファイルサイズの静止画像データを取り扱うＹＵＶフォーマットに準拠するシステムにおいて、ＹＵＶデータと共に、ファイルサイズが可変長となるＪＰＥＧデータをも取り扱い可能とする。【解決手段】  送信側において、ＪＰＥＧフォーマットで規定されている無効データをＪＰＥＧデータに挿入することで、ＪＰＥＧデータのファイルサイズをＹＵＶフォーマットに対応する固定長のファイルサイズとして送信する。受信側は、無効データと共に受信したＪＰＥＧデータから、該無効データを除去することでＪＰＥＧデータのみを抽出する。これにより、ファイルサイズが可変長となるＪＰＥＧデータを、固定長のファイルサイズを取り扱うＹＵＶフォーマットに準拠したシステムで取り扱い可能とすることができる。【選択図】  図５
2008092292.tif 000002
【特許請求の範囲】
【請求項１】
第１のフォーマットに対応する固定ファイルサイズの第１フォーマット静止画像データを形成する第１の静止画像形成手段と、
上記第１の静止画像形成手段で形成された第１フォーマット静止画像データに基づいて、上記第１のフォーマットとは異なる第２のフォーマットに対応する可変ファイルサイズの第２フォーマット静止画像データを形成する第２の静止画像形成手段と、
上記第２のフォーマットで規定されている無効データを形成する無効データ形成手段と、
上記第１のフォーマットに対応するタイミングで動作することで、上記第１の静止画像形成手段からの第１フォーマット静止画像データ、及び上記第２の静止画像形成手段からの第２フォーマット静止画像データを選択的に切り替えて出力すると共に、上記第２フォーマット静止画像データを出力する際、上記第２フォーマット静止画像データに対して、上記無効データ形成手段からの無効データを挿入することで、可変ファイルサイズの第２フォーマット静止画像データを、上記第１フォーマット静止画像データと同じ固定ファイルサイズとしたうえで、上記第１のフォーマットに対応するタイミングで出力する出力切り替え手段と
を有する静止画像送信装置。
【請求項２】
請求項１に記載の静止画像送信装置であって、
上記第２の静止画像形成手段は、ハードウェアであること
を特徴とする静止画像送信装置。
【請求項３】
第１のフォーマットに対応するタイミングで動作することで、該第１のフォーマットに対応する固定ファイルサイズの第１フォーマット静止画像データ、或いは上記第１のフォーマットとは異なる第２のフォーマットに対応する可変ファイルサイズの第２フォーマット静止画像データに対して、該第２のフォーマットで規定されている無効データを挿入することで、上記第１フォーマット静止画像データと同じ固定ファイルサイズとされた該第２フォーマット静止画像データを受信する受信手段と、
上記受信手段で上記第２フォーマット静止画像データを受信した際に、この受信した第２フォーマット静止画像データに挿入されている上記無効データを除去することで、該無効データが挿入される前の上記可変ファイルサイズの第２フォーマット静止画像データを抽出する無効データ除去手段と
を有する静止画像受信装置。
【請求項４】
第１のフォーマットに対応する固定ファイルサイズの第１フォーマット静止画像データを形成する第１の静止画像形成手段と、
上記第１の静止画像形成手段で形成された第１フォーマット静止画像データに基づいて、上記第１のフォーマットとは異なる第２のフォーマットに対応する可変ファイルサイズの第２フォーマット静止画像データを形成する第２の静止画像形成手段と、
上記第２のフォーマットで規定されている無効データを形成する無効データ形成手段と、
上記第１のフォーマットに対応するタイミングで動作することで、上記第１の静止画像形成手段からの第１フォーマット静止画像データ、及び上記第２の静止画像形成手段からの第２フォーマット静止画像データを選択的に切り替えて出力すると共に、上記第２フォーマット静止画像データを出力する際、上記第２フォーマット静止画像データに対して、上記無効データ形成手段からの無効データを挿入することで、可変ファイルサイズの第２フォーマット静止画像データを、上記第１フォーマット静止画像データと同じ固定ファイルサイズとしたうえで、上記第１のフォーマットに対応するタイミングで出力する出力切り替え手段と
を備えた静止画像送信装置と、
上記第１のフォーマットに対応するタイミングで動作することで、上記送信装置からの上記第１フォーマット静止画像データ、及び上記無効データが挿入された上記第２フォーマット静止画像データを受信する受信手段と、
上記受信手段で上記第２フォーマット静止画像データを受信した際に、この受信した第２フォーマット静止画像データに挿入されている上記無効データを除去することで、該無効データが挿入される前の上記可変ファイルサイズの第２フォーマット静止画像データを抽出する無効データ除去手段と
を備えた静止画像受信装置と
を有する静止画像送受信装置。
【請求項５】
請求項４に記載の静止画像送受信装置であって、
上記静止画像送信装置の上記第２の静止画像形成手段は、ハードウェアであること
を特徴とする静止画像送受信装置。
【請求項６】
第１の静止画像形成手段が、第１のフォーマットに対応する固定ファイルサイズの第１フォーマット静止画像データを形成するステップと、
第２の静止画像形成手段が、上記ステップで形成された第１フォーマット静止画像データに基づいて、上記第１のフォーマットとは異なる第２のフォーマットに対応する可変ファイルサイズの第２フォーマット静止画像データを形成するステップと、
無効データ形成手段が、上記第２のフォーマットで規定されている無効データを形成するステップと、
出力切り替え手段が、上記第１のフォーマットに対応するタイミングで動作することで、上記第１の静止画像形成手段からの第１フォーマット静止画像データ、及び上記第２の静止画像形成手段からの第２フォーマット静止画像データを選択的に切り替えて出力すると共に、上記第２フォーマット静止画像データを出力する際、上記第２フォーマット静止画像データに対して、上記無効データ形成手段からの無効データを挿入することで、可変ファイルサイズの第２フォーマット静止画像データを、上記第１フォーマット静止画像データと同じ固定ファイルサイズとしたうえで、上記第１のフォーマットに対応するタイミングで出力するステップと
を有する静止画像送信方法。
【請求項７】
受信手段が、第１のフォーマットに対応するタイミングで動作することで、該第１のフォーマットに対応する固定ファイルサイズの第１フォーマット静止画像データ、或いは上記第１のフォーマットとは異なる第２のフォーマットに対応する可変ファイルサイズの第２フォーマット静止画像データに対して、該第２のフォーマットで規定されている無効データを挿入することで、上記第１フォーマット静止画像データと同じ固定ファイルサイズとされた該第２フォーマット静止画像データを受信するステップと、
上記ステップで上記第２フォーマット静止画像データを受信した際に、無効データ除去手段が、上記受信した第２フォーマット静止画像データに挿入されている上記無効データを除去することで、該無効データが挿入される前の上記可変ファイルサイズの第２フォーマット静止画像データを抽出するステップと
を有する静止画像受信方法。
【請求項８】
第１の静止画像形成手段が、第１のフォーマットに対応する固定ファイルサイズの第１フォーマット静止画像データを形成するステップと、
第２の静止画像形成手段が、上記ステップで形成された第１フォーマット静止画像データに基づいて、上記第１のフォーマットとは異なる第２のフォーマットに対応する可変ファイルサイズの第２フォーマット静止画像データを形成するステップと、
無効データ形成手段が、上記第２のフォーマットで規定されている無効データを形成するステップと、
出力切り替え手段が、上記第１のフォーマットに対応するタイミングで動作することで、上記第１の静止画像形成手段からの第１フォーマット静止画像データ、及び上記第２の静止画像形成手段からの第２フォーマット静止画像データを選択的に切り替えて出力すると共に、上記第２フォーマット静止画像データを出力する際、上記第２フォーマット静止画像データに対して、上記無効データ形成手段からの無効データを挿入することで、可変ファイルサイズの第２フォーマット静止画像データを、上記第１フォーマット静止画像データと同じ固定ファイルサイズとしたうえで、上記第１のフォーマットに対応するタイミングで出力するステップと
を備えた静止画像送信ステップと、
受信手段が上記第１のフォーマットに対応するタイミングで動作することで、上記静止画像送信ステップで送信された上記第１フォーマット静止画像データ、或いは上記無効データが挿入された上記第２フォーマット静止画像データを受信するステップと、
上記ステップで上記第２フォーマット静止画像データを受信した際に、無効データ除去手段が、この受信した第２フォーマット静止画像データに挿入されている上記無効データを除去することで、該無効データが挿入される前の上記可変ファイルサイズの第２フォーマット静止画像データを抽出するステップと
を備えた静止画像受信ステップと
を有する静止画像送受信方法。
【請求項９】
受光した撮像光に対応する電気信号である撮像信号を形成するイメージセンサと、
上記イメージセンサからの撮像信号に基づいて、第１のフォーマットに対応する固定ファイルサイズの第１フォーマット静止画像データを形成する第１の静止画像形成手段と、
上記第１の静止画像形成手段で形成された第１フォーマット静止画像データに基づいて、上記第１のフォーマットとは異なる第２のフォーマットに対応する可変ファイルサイズの第２フォーマット静止画像データを形成する第２の静止画像形成手段と、
上記第２のフォーマットで規定されている無効データを形成する無効データ形成手段と、
上記第１のフォーマットに対応するタイミングで動作することで、上記第１の静止画像形成手段からの第１フォーマット静止画像データ、及び上記第２の静止画像形成手段からの第２フォーマット静止画像データを選択的に切り替えて出力すると共に、上記第２フォーマット静止画像データを出力する際、上記第２フォーマット静止画像データに対して、上記無効データ形成手段からの無効データを挿入することで、可変ファイルサイズの第２フォーマット静止画像データを、上記第１フォーマット静止画像データと同じ固定ファイルサイズとしたうえで、上記第１のフォーマットに対応するタイミングで出力する出力切り替え手段と
を有するカメラ装置。
【請求項１０】
請求項９に記載のカメラ装置であって、
上記第１のフォーマットに対応するタイミングで動作することで、上記出力切り替え手段からの上記第１フォーマット静止画像データ、或いは上記無効データが挿入された上記第２フォーマット静止画像データを受信する受信手段と、
上記受信手段で上記第２フォーマット静止画像データを受信した際に、この受信した第２フォーマット静止画像データに挿入されている上記無効データを除去することで、該無効データが挿入される前の上記可変ファイルサイズの第２フォーマット静止画像データを抽出する無効データ除去手段と
を有するカメラ装置。
【請求項１１】
受光した撮像光に対応する電気信号である撮像信号を形成するイメージセンサと、
上記イメージセンサからの撮像信号に基づいて、第１のフォーマットに対応する固定ファイルサイズの第１フォーマット静止画像データを形成する第１の静止画像形成手段と、
上記第１の静止画像形成手段で形成された第１フォーマット静止画像データに基づいて、上記第１のフォーマットとは異なる第２のフォーマットに対応する可変ファイルサイズの第２フォーマット静止画像データを形成する第２の静止画像形成手段と、
上記第２のフォーマットで規定されている無効データを形成する無効データ形成手段と、
上記第１のフォーマットに対応するタイミングで動作することで、上記第１の静止画像形成手段からの第１フォーマット静止画像データ、及び上記第２の静止画像形成手段からの第２フォーマット静止画像データを選択的に切り替えて出力すると共に、上記第２フォーマット静止画像データを出力する際、上記第２フォーマット静止画像データに対して、上記無効データ形成手段からの無効データを挿入することで、可変ファイルサイズの第２フォーマット静止画像データを、上記第１フォーマット静止画像データと同じ固定ファイルサイズとしたうえで、上記第１のフォーマットに対応するタイミングで出力する出力切り替え手段と
を備えたカメラ部と、
上記第１のフォーマットに対応するタイミングで動作することで、上記カメラ部の出力切り替え手段からの上記第１フォーマット静止画像データ、或いは上記無効データが挿入された上記第２フォーマット静止画像データを受信する受信手段と、
上記受信手段で上記第２フォーマット静止画像データを受信した際に、この受信した第２フォーマット静止画像データに挿入されている上記無効データを除去することで、該無効データが挿入される前の上記可変ファイルサイズの第２フォーマット静止画像データを抽出する無効データ除去手段と
を備えたカメラインターフェイスと、
上記カメラインターフェイスからの少なくとも上記無効データが除去された上記第２フォーマット静止画像データをメモリに記憶制御する記憶制御手段と
を有する携帯端末装置。
【発明の詳細な説明】
【技術分野】
【０００１】
本発明は、カメラ機能を有する、例えば携帯電話機、ＰＨＳ電話機（PHS：Personal Handyphone System）、ＰＤＡ装置（PDA：Personal Digital Assistant）、携帯ゲーム機、或いはノート型のパーソナルコンピュータ装置等に適用して好適な静止画像送信装置、静止画像受信装置、静止画像送受信装置、静止画像送信方法、静止画像受信方法、静止画像送受信方法、カメラ装置、及び携帯端末装置に関し、特に、例えばＹＵＶデータ等の固定ファイルサイズの静止画像データを取り扱うシステムにおいて、ＪＰＥＧデータ等の可変ファイルサイズの静止画像データを取り扱い可能とした静止画像送信装置、静止画像受信装置、静止画像送受信装置、静止画像送信方法、静止画像受信方法、静止画像送受信方法、カメラ装置、及び携帯端末装置に関する。
【背景技術】
【０００２】
特開２０００−１９７００９号の公開特許公報（特許文献１）に、多機能でマルチメディア対応可能なデジタル映像再生装置を提供することを目的としたデジタル映像再生装置が開示されている。
【０００３】
このデジタル映像再生装置は、読出部によりＤＶＤから読み出されたＭＰＥＧ２の圧縮映像音声データを、分離化部により圧縮映像データパケットと圧縮音声データパケットに分離する。伸長部は、これら圧縮映像データパケット及び圧縮音声データパケットをそれぞれ復号して元の映像音声信号に伸長する。そして、映像出力部が、この伸長部により伸長された映像データをモニタ画面に表示し、音声出力部が、この伸長部により伸長された音声データパケットに対応する音声をスピーカを介して出力する。
【０００４】
一方、リモコンの切換キーが操作されると、制御部によりインターフェイス部を介してデジタルカメラからのＪＰＥＧの圧縮カラー静止画像データが伸長部に入力可能な状態となる。伸長部は、入力された圧縮カラー静止画像データを伸長して元のカラー静止画像データに変換し、このカラー静止画像データに対応するカラー静止画像をモニタ画面に表示する。
【０００５】
これにより、ＭＰＥＧ２規格の圧縮映像音声データ、及びＪＰＥＧ規格による圧縮カラー静止画像データを共に再生可能とすることができ、多機能でマルチメディア対応可能なデジタル映像再生装置を提供することができる。
【０００６】
ここで、携帯電話機等に設けられるカメラモジュールは、通常、Ｗ３Ｃ（World Wide Web Consortium）により勧告されているデジタル映像信号の伝送規格であるＲＥＣ６５６の伝送規格に準拠してＹＵＶデータ（Ｙ＝輝度信号、Ｕ＝輝度信号と青色成分の差、Ｖ＝輝度信号と赤色成分の差）を出力するようになっている。このため、上記カメラモジュールは、ＹＵＶフォーマットに対応するインターフェイス部を介して携帯電話機側に取り付けられている。そして、携帯電話機側では、このＹＵＶフォーマットに対応するインターフェイス部を介して上記カメラモジュールから取り込んだＹＵＶデータに対してＪＰＥＧエンコード処理（JPEG：Joint Photographic Experts Group）を施し、このＪＰＥＧエンコード処理により形成されたＪＰＥＧデータをメモリに保存するようになっている。
【０００７】
【特許文献１】特開２０００−１９７００９号公報（第５頁：図１）
【発明の開示】
【発明が解決しようとする課題】
【０００８】
しかし、ＹＵＶデータは、固定的なファイルサイズであるのに対し、ＪＰＥＧデータはＪＰＥＧエンコード処理を行う静止画像に応じて異なるファイルサイズとなる。このため、カメラモジュールからの静止画像データを受信するインターフェイス部としてＹＵＶフォーマットに対応するインターフェイス部を設けた場合、ＪＰＥＧデータの取り扱いが困難となり、反対にカメラモジュールからの静止画像データを受信するインターフェイス部としてＪＰＥＧフォーマットに対応するインターフェイス部を設けた場合、ＹＵＶデータの取り扱いが困難となる問題がある。
【０００９】
上述の特許文献１に開示されているデジタル映像再生装置の場合も同様の問題を有しており、上記デジタルカメラからのＪＰＥＧの圧縮カラー静止画像データを上記伸長部に取り込むには、該デジタルカメラと伸長部との間の上記インターフェイス部としてＪＰＥＧ転送専用のインターフェイス部を設ける必要がある。これにより、ＪＰＥＧデータを取り扱うことは可能であるが、フォーマットの異なるＹＵＶデータを取り扱うことが困難となる問題がある。
【００１０】
本発明は上述の課題に鑑みてなされたものであり、固定ファイルサイズの静止画像データを取り扱うシステムにおいて、ファイルサイズが変化するフォーマットの静止画像データの取り扱いを可能する静止画像送信装置、静止画像受信装置、静止画像送受信装置、静止画像送信方法、静止画像受信方法、静止画像送受信方法、カメラ装置、及び携帯端末装置の提供を目的とする。
【課題を解決するための手段】
【００１１】
本発明に係る静止画像送信装置は、上述の課題を解決するための手段として、
第１のフォーマットに対応する固定ファイルサイズの第１フォーマット静止画像データを形成する第１の静止画像形成手段と、
上記第１の静止画像形成手段で形成された第１フォーマット静止画像データに基づいて、上記第１のフォーマットとは異なる第２のフォーマットに対応する可変ファイルサイズの第２フォーマット静止画像データを形成する第２の静止画像形成手段と、
上記第２のフォーマットで規定されている無効データを形成する無効データ形成手段と、
上記第１のフォーマットに対応するタイミングで動作することで、上記第１の静止画像形成手段からの第１フォーマット静止画像データ、及び上記第２の静止画像形成手段からの第２フォーマット静止画像データを選択的に切り替えて出力すると共に、上記第２フォーマット静止画像データを出力する際、上記第２フォーマット静止画像データに対して、上記無効データ形成手段からの無効データを挿入することで、可変ファイルサイズの第２フォーマット静止画像データを、上記第１フォーマット静止画像データと同じ固定ファイルサイズとしたうえで、上記第１のフォーマットに対応するタイミングで出力する出力切り替え手段と
を有する。
【００１２】
また、本発明に係る静止画像受信装置は、上述の課題を解決するための手段として、
第１のフォーマットに対応するタイミングで動作することで、該第１のフォーマットに対応する固定ファイルサイズの第１フォーマット静止画像データ、或いは上記第１のフォーマットとは異なる第２のフォーマットに対応する可変ファイルサイズの第２フォーマット静止画像データに対して、該第２のフォーマットで規定されている無効データを挿入することで、上記第１フォーマット静止画像データと同じ固定ファイルサイズとされた該第２フォーマット静止画像データを受信する受信手段と、
上記受信手段で上記第２フォーマット静止画像データを受信した際に、この受信した第２フォーマット静止画像データに挿入されている上記無効データを除去することで、該無効データが挿入される前の上記可変ファイルサイズの第２フォーマット静止画像データを抽出する無効データ除去手段と
を有する。
【００１３】
また、本発明に係る静止画像送受信装置は、上述の課題を解決するための手段として、
第１のフォーマットに対応する固定ファイルサイズの第１フォーマット静止画像データを形成する第１の静止画像形成手段と、
上記第１の静止画像形成手段で形成された第１フォーマット静止画像データに基づいて、上記第１のフォーマットとは異なる第２のフォーマットに対応する可変ファイルサイズの第２フォーマット静止画像データを形成する第２の静止画像形成手段と、
上記第２のフォーマットで規定されている無効データを形成する無効データ形成手段と、
上記第１のフォーマットに対応するタイミングで動作することで、上記第１の静止画像形成手段からの第１フォーマット静止画像データ、及び上記第２の静止画像形成手段からの第２フォーマット静止画像データを選択的に切り替えて出力すると共に、上記第２フォーマット静止画像データを出力する際、上記第２フォーマット静止画像データに対して、上記無効データ形成手段からの無効データを挿入することで、可変ファイルサイズの第２フォーマット静止画像データを、上記第１フォーマット静止画像データと同じ固定ファイルサイズとしたうえで、上記第１のフォーマットに対応するタイミングで出力する出力切り替え手段と
を備えた静止画像送信装置と、
上記第１のフォーマットに対応するタイミングで動作することで、上記送信装置からの上記第１フォーマット静止画像データ、及び上記無効データが挿入された上記第２フォーマット静止画像データを受信する受信手段と、
上記受信手段で上記第２フォーマット静止画像データを受信した際に、この受信した第２フォーマット静止画像データに挿入されている上記無効データを除去することで、該無効データが挿入される前の上記可変ファイルサイズの第２フォーマット静止画像データを抽出する無効データ除去手段と
を備えた静止画像受信装置と
を有する。
【００１４】
また、本発明に係る静止画像送信方法は、上述の課題を解決するための手段として、
第１の静止画像形成手段が、第１のフォーマットに対応する固定ファイルサイズの第１フォーマット静止画像データを形成するステップと、
第２の静止画像形成手段が、上記ステップで形成された第１フォーマット静止画像データに基づいて、上記第１のフォーマットとは異なる第２のフォーマットに対応する可変ファイルサイズの第２フォーマット静止画像データを形成するステップと、
無効データ形成手段が、上記第２のフォーマットで規定されている無効データを形成するステップと、
出力切り替え手段が、上記第１のフォーマットに対応するタイミングで動作することで、上記第１の静止画像形成手段からの第１フォーマット静止画像データ、及び上記第２の静止画像形成手段からの第２フォーマット静止画像データを選択的に切り替えて出力すると共に、上記第２フォーマット静止画像データを出力する際、上記第２フォーマット静止画像データに対して、上記無効データ形成手段からの無効データを挿入することで、可変ファイルサイズの第２フォーマット静止画像データを、上記第１フォーマット静止画像データと同じ固定ファイルサイズとしたうえで、上記第１のフォーマットに対応するタイミングで出力するステップと
を有する。
【００１５】
また、本発明に係る静止画像受信方法は、上述の課題を解決するための手段として、
受信手段が、第１のフォーマットに対応するタイミングで動作することで、該第１のフォーマットに対応する固定ファイルサイズの第１フォーマット静止画像データ、或いは上記第１のフォーマットとは異なる第２のフォーマットに対応する可変ファイルサイズの第２フォーマット静止画像データに対して、該第２のフォーマットで規定されている無効データを挿入することで、上記第１フォーマット静止画像データと同じ固定ファイルサイズとされた該第２フォーマット静止画像データを受信するステップと、
上記ステップで上記第２フォーマット静止画像データを受信した際に、無効データ除去手段が、上記受信した第２フォーマット静止画像データに挿入されている上記無効データを除去することで、該無効データが挿入される前の上記可変ファイルサイズの第２フォーマット静止画像データを抽出するステップと
を有する。
【００１６】
また、本発明に係る静止画像送受信方法は、上述の課題を解決するための手段として、
第１の静止画像形成手段が、第１のフォーマットに対応する固定ファイルサイズの第１フォーマット静止画像データを形成するステップと、
第２の静止画像形成手段が、上記ステップで形成された第１フォーマット静止画像データに基づいて、上記第１のフォーマットとは異なる第２のフォーマットに対応する可変ファイルサイズの第２フォーマット静止画像データを形成するステップと、
無効データ形成手段が、上記第２のフォーマットで規定されている無効データを形成するステップと、
出力切り替え手段が、上記第１のフォーマットに対応するタイミングで動作することで、上記第１の静止画像形成手段からの第１フォーマット静止画像データ、及び上記第２の静止画像形成手段からの第２フォーマット静止画像データを選択的に切り替えて出力すると共に、上記第２フォーマット静止画像データを出力する際、上記第２フォーマット静止画像データに対して、上記無効データ形成手段からの無効データを挿入することで、可変ファイルサイズの第２フォーマット静止画像データを、上記第１フォーマット静止画像データと同じ固定ファイルサイズとしたうえで、上記第１のフォーマットに対応するタイミングで出力するステップと
を備えた静止画像送信ステップと、
受信手段が上記第１のフォーマットに対応するタイミングで動作することで、上記静止画像送信ステップで送信された上記第１フォーマット静止画像データ、或いは上記無効データが挿入された上記第２フォーマット静止画像データを受信するステップと、
上記ステップで上記第２フォーマット静止画像データを受信した際に、無効データ除去手段が、この受信した第２フォーマット静止画像データに挿入されている上記無効データを除去することで、該無効データが挿入される前の上記可変ファイルサイズの第２フォーマット静止画像データを抽出するステップと
を備えた静止画像受信ステップと
を有する。
【００１７】
また、本発明に係るカメラ装置は、上述の課題を解決するための手段として、
受光した撮像光に対応する電気信号である撮像信号を形成するイメージセンサと、
上記イメージセンサからの撮像信号に基づいて、第１のフォーマットに対応する固定ファイルサイズの第１フォーマット静止画像データを形成する第１の静止画像形成手段と、
上記第１の静止画像形成手段で形成された第１フォーマット静止画像データに基づいて、上記第１のフォーマットとは異なる第２のフォーマットに対応する可変ファイルサイズの第２フォーマット静止画像データを形成する第２の静止画像形成手段と、
上記第２のフォーマットで規定されている無効データを形成する無効データ形成手段と、
上記第１のフォーマットに対応するタイミングで動作することで、上記第１の静止画像形成手段からの第１フォーマット静止画像データ、及び上記第２の静止画像形成手段からの第２フォーマット静止画像データを選択的に切り替えて出力すると共に、上記第２フォーマット静止画像データを出力する際、上記第２フォーマット静止画像データに対して、上記無効データ形成手段からの無効データを挿入することで、可変ファイルサイズの第２フォーマット静止画像データを、上記第１フォーマット静止画像データと同じ固定ファイルサイズとしたうえで、上記第１のフォーマットに対応するタイミングで出力する出力切り替え手段と
を有する。
【００１８】
また、本発明に係るカメラ装置は、上述の課題を解決するための手段として、上記各手段に加え、
上記第１のフォーマットに対応するタイミングで動作することで、上記出力切り替え手段からの上記第１フォーマット静止画像データ、或いは上記無効データが挿入された上記第２フォーマット静止画像データを受信する受信手段と、
上記受信手段で上記第２フォーマット静止画像データを受信した際に、この受信した第２フォーマット静止画像データに挿入されている上記無効データを除去することで、該無効データが挿入される前の上記可変ファイルサイズの第２フォーマット静止画像データを抽出する無効データ除去手段と
を有する。
【００１９】
また、本発明に係る携帯端末装置は、上述の課題を解決するための手段として、
受光した撮像光に対応する電気信号である撮像信号を形成するイメージセンサと、
上記イメージセンサからの撮像信号に基づいて、第１のフォーマットに対応する固定ファイルサイズの第１フォーマット静止画像データを形成する第１の静止画像形成手段と、
上記第１の静止画像形成手段で形成された第１フォーマット静止画像データに基づいて、上記第１のフォーマットとは異なる第２のフォーマットに対応する可変ファイルサイズの第２フォーマット静止画像データを形成する第２の静止画像形成手段と、
上記第２のフォーマットで規定されている無効データを形成する無効データ形成手段と、
上記第１のフォーマットに対応するタイミングで動作することで、上記第１の静止画像形成手段からの第１フォーマット静止画像データ、及び上記第２の静止画像形成手段からの第２フォーマット静止画像データを選択的に切り替えて出力すると共に、上記第２フォーマット静止画像データを出力する際、上記第２フォーマット静止画像データに対して、上記無効データ形成手段からの無効データを挿入することで、可変ファイルサイズの第２フォーマット静止画像データを、上記第１フォーマット静止画像データと同じ固定ファイルサイズとしたうえで、上記第１のフォーマットに対応するタイミングで出力する出力切り替え手段と
を備えたカメラ部と、
上記第１のフォーマットに対応するタイミングで動作することで、上記カメラ部の出力切り替え手段からの上記第１フォーマット静止画像データ、或いは上記無効データが挿入された上記第２フォーマット静止画像データを受信する受信手段と、
上記受信手段で上記第２フォーマット静止画像データを受信した際に、この受信した第２フォーマット静止画像データに挿入されている上記無効データを除去することで、該無効データが挿入される前の上記可変ファイルサイズの第２フォーマット静止画像データを抽出する無効データ除去手段と
を備えたカメラインターフェイスと、
上記カメラインターフェイスからの少なくとも上記無効データが除去された上記第２フォーマット静止画像データをメモリに記憶制御する記憶制御手段と
を有する。
【００２０】
このような本発明は、ファイルサイズが可変的となる第２のフォーマット静止画像データを出力する際に、この第２のフォーマット静止画像データに対して、当該第２のフォーマットで規定されている無効データを挿入し、該第２のフォーマット静止画像データのファイルサイズを、第１のフォーマット静止画像データと同じ固定的なファイルサイズとして出力することで、それぞれフォーマットが異なる第１及び第２の各フォーマット静止画像データを、上記第１のフォーマットで規定されている固定的なタイミングで取り扱い可能とする。
【発明の効果】
【００２１】
本発明は、ファイルサイズが可変的となる第２のフォーマット静止画像データを出力する際に、この第２のフォーマット静止画像データに対して、当該第２のフォーマットで規定されている無効データを挿入することで、該第２のフォーマット静止画像データのファイルサイズを、第１のフォーマット静止画像データと同じ固定的なファイルサイズとして出力することができる。このため、それぞれフォーマットが異なる第１及び第２の各フォーマット静止画像データを、上記第１のフォーマットで規定されている固定的なタイミングで取り扱い可能とすることができる。
【発明を実施するための最良の形態】
【００２２】
本発明は、一例として携帯電話機のカメラ部に適用することができる。
【００２３】
［第１の実施の形態］
［携帯電話機の構成］
この本発明の実施の形態となる携帯電話機は、図１に示すように基地局との間で無線通信を行うアンテナ１及び通信回路２と、着信音や受話音声等の音響出力を得るためのスピーカ部３と、送話音声等を集音するマイクロホン部４と、画像（動画像、静止画像等）や文字等を表示するための表示部５とを有している。
【００２４】
また、この携帯電話機は、文字等の入力操作や所望のメニューの選択操作等を行うための操作部６と、発着信等を光で知らせるための発光部７（LED：Light Emitting Diode）と、所望の被写体の静止画像或いは動画像を撮像するためのカメラ部８と、当該携帯電話機の筐体を振動させて発着信等をユーザに知らせるためのバイブレーションユニット９とを有している。
【００２５】
また、この携帯電話機は、現在時刻をカウントするタイマ１０と、基地局を介した無線通信処理を行うための通信処理プログラム（コミュニケーションプログラム）の他、各種アプリケーションプログラムや、これら各アプリケーションプログラムで取り扱われる各種データ（コンテンツ）等が記憶されたメモリ１１と、当該携帯電話機全体を制御する制御部１２とを有している。
【００２６】
メモリ１１には、電子メールの作成や送受信を制御するための電子メール管理プログラムと、カメラ部８の撮像制御やデータ処理制御、及びカメラ部８で撮像された動画像や静止画像を上記表示部５に表示制御するためのカメラ制御プログラムと、ユーザのスケジュールが登録されたスケジュール帳の管理を行うためのスケジュール帳管理プログラムと、電話帳の管理を行うための電話帳管理プログラムと、音楽コンテンツの再生を行うための音楽プレーヤプログラムとが記憶されている。
【００２７】
また、メモリ１１には、ユーザの所望のスケジュールが登録されるスケジュール帳と、ユーザの知人や友人等の静止画像（主に顔画像）、電話番号、電子メールアドレス、誕生年月日等が登録された電話帳と、音楽プレーヤプログラムに基づいて再生される音楽コンテンツと、カメラ制御プログラムのビューワ機能に基づいて再生される静止画像コンテンツ及び動画像コンテンツと、送受信された電子メールコンテンツと、電話及び電子メールの発着信履歴等が記憶されている。
【００２８】
〔カメラ部の構成〕
カメラ部８は、図２に示すように被写体の撮像光を取り込む撮像レンズ２１と、この撮像レンズ２１を介して取り込まれた撮像光を受光して、Ｗ３Ｃ（World Wide Web Consortium）により勧告（Recommendations＝REC）されているデジタル映像信号の伝送規格であるＲＥＣ６５６の伝送規格（ＹＵＶフォーマット）に準拠したＹＵＶデータ（Ｙ＝輝度信号、Ｕ＝輝度信号と青色成分の差、Ｖ＝輝度信号と赤色成分の差）を形成するイメージセンサ２２及びＹＵＶデータ形成部２３とを有している。
【００２９】
また、カメラ部８は、ＹＵＶデータ形成部２３からのＹＵＶデータに基づいて、いわゆるＪＰＥＧフォーマット（JPEG：Joint Photographic Experts Group）の静止画像コンテンツを形成するＪＰＥＧエンコード処理部２４と、後に説明する無効データを出力する無効データ形成部２５と、ＹＵＶフォーマットに対応する固定長の垂直同期信号（ＶＳＹＮＣ）が供給される垂直同期信号入力端子２７と、ＹＵＶフォーマットに対応する固定長の水平同期信号（ＨＳＹＮＣ）が供給される水平同期信号入力端子２８と、ＹＵＶデータ或いはＪＰＥＧデータを選択的に出力制御するためのデータ選択制御信号が供給されるデータ選択制御信号入力端子２９とを有している。
【００３０】
また、カメラ部８は、上記データ選択制御信号に基づいて上記ＹＵＶデータ形成部２３からのＹＵＶデータ、或いは上記ＪＰＥＧエンコード処理部２４からのＪＰＥＧデータを切り替えて出力端子３０を介して出力すると共に、ＪＰＥＧデータを出力する場合、当該ＪＰＥＧデータに無効データ形成部２５からの無効データを挿入することで、該ＪＰＥＧデータのデータ長及び出力タイミングを擬似的にＹＵＶフォーマットに対応するデータ長及び出力タイミングとして出力する出力切り替え部２６を有している。
【００３１】
このようなカメラ部８は、図１に示すカメラインターフェイス部１３（カメラＩＦ）に対して電気的かつ機械的に接続されている。このカメラＩＦ１３は、上記ＲＥＣ６５６で勧告されているＹＵＶフォーマットに基づいてデータの取り込みを行うようになっている。すなわち、カメラ部８は静止画像データを送信（出力）する送信装置として機能し、カメラＩＦ１３は、カメラ部８から送信された静止画像データを受信する受信装置として機能することとなる。
【００３２】
当該実施の形態の携帯電話機は、上述のようにカメラ部８がＪＰＥＧデータに対して無効データを適宜挿入することで、該ＪＰＥＧデータのデータ長及び出力タイミングをＹＵＶフォーマットに対応するデータ長及び出力タイミングとして出力するようになっているため、カメラＩＦ１３は、ＹＵＶフォーマットに基づいて動作することで、ＹＵＶデータ、及び擬似的にＹＵＶフォーマットに対応するデータ長及び出力タイミングとされたＪＰＥＧデータを取り込み可能となっている。
【００３３】
換言すれば、カメラ部のインターフェイスとしては、ＹＵＶフォーマットに基づいて動作するインターフェイスが設けられることが多いのであるが、当該実施の形態の携帯電話機は、ＪＰＥＧデータを出力する場合には、該ＪＰＥＧデータのデータ長及び出力タイミングを擬似的にＹＵＶフォーマットに対応するデータ長及び出力タイミングとして出力するため、ＹＵＶフォーマットに基づいて動作するインターフェイスをＪＰＥＧフォーマット用のインターフェイスに変更することなく（＝ＹＵＶフォーマットに基づいて動作するインターフェイスをそのまま用いて）、上記ＹＵＶデータ及びの両方を取り込み可能となっている。
【００３４】
［第１の実施の形態の動作］
このような第１の実施の形態の携帯電話機は、当該携帯電話機を製造するメーカ側の設定、或いはユーザの設定により、カメラ部８から出力されるＹＵＶデータ或いはＪＰＥＧデータを選択可能なっている。このメーカ側の設定或いはユーザの設定を示す設定情報は、図１に示すメモリ１１に記憶されるようになっており、制御部１２は、この設定情報に対応するデータ選択制御信号を、図２に示すデータ選択制御信号入力端子２９を介して出力切り替え部２６に供給し、上記ＹＵＶデータの出力或いはＪＰＥＧデータの出力を切り替え制御するようになっている。
【００３５】
〔ＹＵＶデータの出力動作〕
まず、上記設定によりＹＵＶデータの出力設定がなされている場合、制御部１２は、ＹＵＶデータの出力を選択するためのデータ選択制御信号を、図２に示すデータ選択制御信号入力端子２９を介して出力切り替え部２６に供給する。
【００３６】
一方、撮像レンズ２１を介して取り込まれた被写体の撮像光は、イメージセンサ２２により受光され、電気信号である撮像信号に変換されてＹＵＶデータ形成部２３に供給される。ＹＵＶデータ形成部２３は、この撮像信号から、ＹＵＶフォーマットに対応するＹＵＶデータを形成し、これを出力切り替え部２６及びＪＰＥＧエンコード処理部２４に供給する。
【００３７】
なお、制御部１２は、ＹＵＶデータの出力が選択されている場合、ＪＰＥＧエンコード処理部２４及び無効データ形成部２５に対する電力供給を停止制御する。これにより、ＹＵＶデータの出力時には、ＪＰＥＧエンコード処理部２４及び無効データ形成部２５の動作を停止させることができるため、無駄な消費電力の削減を図ることができる。
【００３８】
次に、出力切り替え部２６は、ＹＵＶデータ形成部２３から供給されたＹＵＶデータを、垂直同期信号入力端子２７から供給される垂直同期信号（ＶＳＹＮＣ）、及び水平同期信号入力端子２８から供給される水平同期信号（ＨＳＹＮＣ）にそれぞれ同期させ、出力端子３０を介して、図１に示すカメラＩＦ１３に供給する。
【００３９】
上述のように、カメラＩＦ１３はＹＵＶフォーマットに基づいて動作しており、カメラ部８から供給されたＹＵＶデータを上記ＹＵＶフォーマットに基づいて取り込む。これにより、ＹＵＶフォーマットの静止画像データの取り込みを行うことができる。
【００４０】
〔ＪＰＥＧデータの出力動作〕
次に、上記設定によりＪＰＥＧデータの出力設定がなされている場合、制御部１２は、ＪＰＥＧデータの出力を選択するためのデータ選択制御信号を、図２に示すデータ選択制御信号入力端子２９を介して出力切り替え部２６に供給する。
【００４１】
また、上記設定によりＪＰＥＧデータの出力設定がなされている場合、制御部１２は、ＪＰＥＧエンコード処理部２４及び無効データ形成部２５に対して電力供給を行い、該ＪＰＥＧエンコード処理部２４及び無効データ形成部２５を動作状態とする。
【００４２】
一例ではあるが、ＪＰＥＧエンコード処理部２４はハードウェアとなっており、ＹＵＶデータ形成部２３から供給されたＹＵＶデータに対してＪＰＥＧエンコード処理を施すことで、該ＹＵＶデータをＪＰＥＧデータに変換し、これを出力切り替え部２６に供給する。
【００４３】
ここで、ＪＰＥＧデータは、「０ｘＦＦ ０ｘＸＸ」という２バイトのマーカ（セグメント識別子）を有しており、図３に示すように「０ｘＦＦ」の後に続く「０ｘＸＸ」で各種情報の分類を行うようになっている。そして、ＪＰＥＧフォーマットにおいては、図３中太線の枠で囲って示すように「０ｘ０２〜０ｘＢＦ」が「予約コード」として規定されており、また、「０ｘＦＦ」が「禁止コード」として規定されている。この「予約コード」及び「禁止コード」は、ＪＰＥＧデータ内に存在しないマーカである。無効データ形成部２５は、このＪＰＥＧデータ内に存在しないマーカである「予約コード」及び（又は）「禁止コード」を形成し、これを「無効データ」として出力切り替え部２６に供給する。
【００４４】
出力切り替え部２６は、ＹＵＶフォーマットのタイミングで垂直同期信号入力端子２７から供給される垂直同期信号（ＶＳＹＮＣ）、及びＹＵＶフォーマットのタイミングで水平同期信号入力端子２８から供給される水平同期信号（ＨＳＹＮＣ）にそれぞれ同期させ、ＪＰＥＧエンコード処理部２４から供給されるＪＰＥＧデータに対して、無効データ形成部２５からの無効データが適宜挿入されるように上記ＪＰＥＧデータ及び上記無効データを切り替えて出力することで、該ＪＰＥＧデータのデータ長及び出力タイミングをＹＵＶフォーマットに対応するデータ長及び出力タイミングとして出力する。
【００４５】
図４（ａ）〜図４（ｄ）に各データ及び各同期信号のタイムチャートを示す。図４（ａ）は出力切り替え部２６に供給されるＪＰＥＧデータを、図４（ｂ）はＹＵＶフォーマットのタイミングで出力切り替え部２６に供給される垂直同期信号（ＶＳＹＮＣ）を、図４（ｃ）はＹＵＶフォーマットのタイミングで出力切り替え部２６に供給される水平同期信号（ＨＳＹＮＣ）を、図４（ｄ）は、出力切り替え部２６から出力される、上記無効データが挿入されたＪＰＥＧデータを示している。
【００４６】
この図４（ａ）〜図４（ｄ）からわかるように、出力切り替え部２６は、垂直同期信号及び水平同期信号が共にハイレベルの間に、ＪＰＥＧデータに対して無効データを挿入するように、該ＪＰＥＧデータ及び無効データを切り替えて出力することで、該無効データを含むＪＰＥＧデータの全体的なデータ長を、ＹＵＶフォーマットの垂直同期信号に対応する固定長とし、出力端子３０を介して図１に示すカメラＩＦ１３に供給する。
【００４７】
ＪＰＥＧデータのファイルサイズは、ＪＰＥＧエンコード処理を行う静止画像に応じてそれぞれ異なるのであるが、ＪＰＥＧデータに対して上記無効データを挿入することで、図５に示すように変動的なＪＰＥＧデータのファイルサイズを、ＹＵＶフォーマットに対応する固定的なファイルサイズとすることができる。
【００４８】
次に、このように無効データが挿入されたＪＰＥＧデータが供給されたカメラＩＦ１３は、ＹＵＶフォーマットに対応する垂直同期信号及び水平同期信号のタイミングで、この無効データが挿入されたＪＰＥＧデータの取り込みを行う。これにより、カメラＩＦ１３では、無効データが挿入された状態のＪＰＥＧデータを取り込むこととなる。
【００４９】
このため、カメラＩＦ１３は、上記ＪＰＥＧデータを取り込むと、図６（ａ）に四角で囲って示す「ＦＦ、０２」の無効データを検出する。そして、この無効データを除去することで無効データが挿入された状態のＪＰＥＧデータから、図６（ｂ）に示すＪＰＥＧデータのみを抽出する。制御部１２は、このカメラＩＦ１３により抽出されたＪＰＥＧデータを静止画像コンテンツとしてメモリ１１に記憶制御する。なお、このメモリ１１に記憶された静止画像コンテンツは、表示時に制御部１２によりＪＰＥＧデコード処理が施され、表示部５に表示されることとなる。
【００５０】
［第１の実施の形態の効果］
以上の説明から明らかなように、この実施の形態の携帯電話機は、ＪＰＥＧエンコード処理を行う静止画像に応じてそれぞれファイルサイズが異なるＪＰＥＧデータに対して、ＪＰＥＧフォーマットで規定されている無効データを挿入することで、該無効データを含むＪＰＥＧデータ全体のファイルサイズを、ＹＵＶフォーマットに対応する固定的なファイルサイズとしてカメラＩＦ１３に出力する。これにより、ＹＵＶフォーマットに対応するタイミングでデータの取り込みを行うカメラＩＦ１３を用いながらにして、ＹＵＶデータとは異なるＪＰＥＧフォーマットのＪＰＥＧデータを取り扱い可能とすることができる。すなわち、ＹＵＶフォーマットに対応するカメラＩＦ１３で、ＹＵＶデータ及びＪＰＥＧデータの両方を取り扱い可能とすることができる。
【００５１】
また、無効データを挿入されたＪＰＥＧデータが供給されるカメラＩＦ１３側では、この挿入された無効データを検出して除去するだけでＪＰＥＧデータのみを抽出することができる。このため、簡単に元のＪＰＥＧデータを復元することができる。なお、無効データが機能するのはカメラ部８とカメラＩＦ１３との間だけであり、該無効データはカメラＩＦ１３により除去されるため、ＪＰＥＧデータのデコード処理時に、該ＪＰＥＧデータに挿入された無効データがデコード処理の妨げになることは無い。
【００５２】
また、カメラ部８からのＹＵＶデータをカメラＩＦ１３を介して取り込み、この取り込んだＹＵＶデータに対して制御部１２がソフトウェア的にＪＰＥＧエンコード処理を施してメモリ１１に保存すると、ＪＰＥＧエンコード処理に時間を要する。しかし、当該実施の形態の携帯電話機の場合、カメラ部８側にハードウェアとして設けられたＪＰＥＧエンコード処理部２４により当該カメラ部８側でＪＰＥＧエンコード処理を行い、このＪＰＥＧエンコード処理済みのＪＰＥＧデータをカメラＩＦ１３を介して取り込むようになっているため、ＪＰＥＧエンコード処理の高速化を図ることができる。
【００５３】
［第２の実施の形態］
次に、本発明の第２の実施の形態となる携帯電話機の説明をする。上述の第１の実施の形態の携帯電話機は、ＪＰＥＧデータのファイルサイズをＹＵＶフォーマットに合致したファイルサイズとするために、該ＪＰＥＧデータに対して無効データを適宜挿入して転送するものであった。これに対して、この第２の実施の形態の携帯電話機は、ＹＵＶデータに基づいて作成したサムネイル画像（縮小画像）をＪＰＥＧデータと共に転送するために、上記無効データを、このサムネイル画像のスタートコード及びエンドコードとして用いるようにしたものである。
【００５４】
図７に、この第２の実施の形態の携帯電話機に設けられているカメラ部８のブロック図を示す。なお、この図７に示すカメラ部８の説明において、図２に示すカメラ部８と同じ動作を示すブロックには同じ符号を付し、重複した説明は省略することとする。
【００５５】
この図７からわかるようにカメラ部８は、ＹＵＶデータ形成部２３からのＹＵＶデータに基づいてＪＰＥＧデータを形成するＪＰＥＧエンコード処理部２４と共に、ＹＵＶデータ形成部２３からのＹＵＶデータに基づいて所定サイズのサムネイル画像を形成するサムネイルデータ形成部３１を有している。
【００５６】
また、このカメラ部８は、水平同期期間における上記サムネイル画像の開始位置を示すＹＵＶスタートコードを形成するＹＵＶスタートコード形成部３２と、水平同期期間における上記サムネイル画像の終了位置を示すＹＵＶエンドコードを形成するＹＵＶエンドコード形成部３３とを有している。上記ＹＵＶスタートコード形成部３２及びＹＵＶエンドコード形成部３３は、図３を用いて説明したＪＰＥＧフォーマットで規定されている「予約コード」或いは「禁止コード」である無効データを、上記ＹＵＶスタートコード及びＹＵＶエンドコードとして形成するようになっている。
【００５７】
具体的には、ＹＵＶスタートコード形成部３２は一例として「ＦＦ０３」をＹＵＶスタートコードとして形成し、また、ＹＵＶエンドコード形成部３３は一例として「ＦＦ０４」をＹＵＶエンドコードとして形成するようになっている。
【００５８】
また、ＹＵＶスタートコードとして「ＦＦ０３」を、ＹＵＶエンドコードとして「ＦＦ０４」を用いることとしているため、サムネイルデータ形成部３１は、サムネイルデータを形成する場合、「０」から「２５４」の値にクリップしたサムネイルデータを形成するようになっている。これにより、サムネイルデータ中に「ＦＦ０３」のＹＵＶスタートコード、及び「ＦＦ０４」のＹＵＶエンドコードが存在する不都合を防止することができ、サムネイルデータの抽出時に、ＹＵＶスタートコード、及びＹＵＶエンドコードを正確に検出してサムネイルデータを抽出することを可能とすることができる。
【００５９】
また、このカメラ部８は、ＹＵＶデータ或いはＪＰＥＧデータ及びサムネイルデータを水平同期信号に同期させて転送する「水平同期方式」で上記各データを転送するようになっており、ＪＰＥＧエンコード処理部２４から供給されるＪＰＥＧデータ、サムネイルデータ形成部３１から供給されるサムネイルデータ、ＹＵＶスタートコード形成部３２から供給されるＹＵＶスタートコード、ＹＵＶエンドコード形成部３３から供給されるＹＵＶエンドコードに基づいて、水平同期信号入力端子２８から供給される水平同期信号のタイミング及び信号数を加工して出力切り替え部２６に供給するＨＳＹＮＣ形成部３４を有している。
【００６０】
〔水平同期方式におけるＹＵＶデータの出力動作〕
この第２の実施の形態の携帯電話機のカメラ部８は、上記設定によりＹＵＶデータの出力設定がなされている場合、制御部１２は、ＹＵＶデータの出力を選択するためのデータ選択制御信号を、図７に示すデータ選択制御信号入力端子２９を介して出力切り替え部２６に供給する。この場合、ＨＳＹＮＣ形成部３４は、ＹＵＶデータ形成部２３からＹＵＶデータが供給されている間、ハイレベルとなる水平同期信号を形成し、これを出力切り替え部２６に供給する。
【００６１】
出力切り替え部２６は、ＨＳＹＮＣ形成部３４からハイレベルとなる水平同期信号が供給されている間、ＹＵＶデータ形成部２３からのＹＵＶデータを出力端子３０を介して図１に示すカメラＩＦ１３に送信する。これにより、ＹＵＶデータ形成部２３からのＹＵＶデータが、水平同期信号に同期してカメラＩＦ１３に送信されることとなる。
【００６２】
なお、上記設定によりＹＵＶデータの出力設定がなされている場合、制御部１２は、ＪＰＥＧエンコード処理部２４、サムネイルデータ形成部３１、ＹＵＶスタートコード形成部３２及びＹＵＶエンドコード形成部３３に対する電力供給を停止制御する。これにより、ＹＵＶデータの出力時には、ＪＰＥＧエンコード処理部２４、サムネイルデータ形成部３１、ＹＵＶスタートコード形成部３２及びＹＵＶエンドコード形成部３３の動作を停止させることができるため、無駄な消費電力の削減を図ることができる。
【００６３】
〔水平同期方式におけるＪＰＥＧデータ及びサムネイルデータの出力動作〕
次に、上記設定によりＪＰＥＧデータの出力設定がなされている場合、制御部１２は、ＪＰＥＧデータの出力を選択するためのデータ選択制御信号をデータ選択制御信号入力端子２９を介して出力切り替え部２６に供給する。この場合、ＨＳＹＮＣ形成部３４は、ＪＰＥＧエンコード処理部２４からＪＰＥＧデータが供給されている間、サムネイルデータ形成部３１からのサムネイルデータが供給されている間、ＹＵＶスタートコード形成部３２からのＹＵＶスタートコードが供給されている間、及びＹＵＶエンドコード形成部３３からのＹＵＶエンドコードが供給されている間にそれぞれハイレベルとなる水平同期信号を形成し、これを出力切り替え部２６に供給する。出力切り替え部２６は、ＨＳＹＮＣ形成部３４からハイレベルとなる水平同期信号が供給されている間、ＪＰＥＧデータ、サムネイルデータ、ＹＵＶスタートコード及びＹＵＶエンドコードをそれぞれ切り替えて、出力端子３０を介して図１に示すカメラＩＦ１３に送信する。
【００６４】
図８（ａ）〜図８（ｄ）に、このような水平同期方式におけるＪＰＥＧデータ及びサムネイルデータの出力タイミングを示す。図８（ａ）は、ＪＰＥＧエンコード処理部２４から出力されるＪＰＥＧデータを、図８（ｂ）は、垂直同期信号入力端子２７から出力切り替え部２６に供給される垂直同期信号を、図８（ｃ）は、ＨＳＹＮＣ形成部３４から出力切り替え部２６に供給される水平同期信号を、図８（ｄ）は、出力切り替え部２６から出力されるＪＰＥＧデータ、サムネイルデータ、ＹＵＶスタートコード及びＹＵＶエンドコードを示している。
【００６５】
この図８（ａ）及び図８（ｃ）からわかるように、ＨＳＹＮＣ形成部３４は、ＪＰＥＧデータのタイミングでハイレベルの水平同期信号を形成すると共に、サムネイルデータ、ＹＵＶスタートコード及びＹＵＶエンドコードのタイミングでハイレベルの水平同期信号を形成し、この水平同期信号を出力切り替え部２６に供給する。すなわち、通常の水平同期方式においては、ＪＰＥＧデータのタイミングでのみハイレベルの水平同期信号が形成されるのであるが、この実施の形態の場合、サムネイルデータの出力間、及びこのサムネイルデータのＹＵＶスタートコード及びＹＵＶエンドコードの出力間にもハイレベルの水平同期信号が形成され出力切り替え部２６に供給される。そして、出力切り替え部２６が、この各水平同期信号に同期させてＪＰＥＧデータ、サムネイルデータ、このサムネイルデータのＹＵＶスタートコード及びＹＵＶエンドコードを切り替えてカメラＩＦ１３に出力する。これにより、ＪＰＥＧデータと共に、ＹＵＶフォーマットのサムネイルデータが該カメラＩＦ１３に送信されることとなる。
【００６６】
カメラＩＦ１３は、ＨＳＹＮＣ形成部３４により形成された水平同期信号のタイミングで、ＪＰＥＧデータ、サムネイルデータ、このサムネイルデータのＹＵＶスタートコード及びＹＵＶエンドコードを取り込む。そして、上述の「ＦＦ０３」のＹＵＶスタートコードから「ＦＦ０４」のＹＵＶエンドコードの間のデータをサムネイルデータとして検出することで、ＪＰＥＧデータとサムネイルデータとを分離する。
【００６７】
制御部１２は、この分離されたＪＰＥＧデータ及びサムネイルデータをメモリ１１に記憶制御する。そして、表示が指定された際に、サムネイルデータをメモリ１１から読み出して表示部５に表示制御し、或いはＪＰＥＧデータをメモリ１１から読み出して、当該ＪＰＥＧデータに対してＪＰＥＧデコード処理を施して表示部５に表示制御する。
【００６８】
［第２の実施の形態の効果］
以上の説明から明らかなように、この第２の実施の形態の携帯電話機のカメラ部８は、ＪＰＥＧデータ、サムネイルデータ形成部３１で形成されたＹＵＶフォーマットのサムネイルデータ、ＹＵＶスタートコード及びＹＵＶエンドコードの間にハイレベルとなる水平同期信号を形成し、この水平同期信号に同期させてＪＰＥＧデータ、及びタイミング的にＹＵＶスタートコードとＹＵＶエンドコードとで挟まれたサムネイルデータをカメラＩＦ１３に送信する。これにより、カメラ部８からカメラＩＦ１３に対して、ＪＰＥＧデータと共にＹＵＶフォーマットのサムネイルデータを送信することができる。
【００６９】
また、カメラＩＦ１３側では、上記各データに対応して形成された水平同期信号に同期して該各データを取り込み、ＹＵＶスタートコードとＹＵＶエンドコードとの間のデータをサムネイルデータとして検出することで、ＪＰＥＧデータとサムネイルデータとを分離し、メモリ１１に記憶制御する。これにより、ＪＰＥＧデータと共に送信されたサムネイルデータを正確に分離して取り扱うことができる。
【００７０】
カメラ部８からカメラＩＦ１３にＪＰＥＧデータのみを送信するシステムにおいて、サムネイル画像を表示する場合、カメラ部８から送信されたＪＰＥＧデータにＪＰＥＧデコード処理を施して元画像を復号化し、この元画像に縮小処理を施してサムネイル画像を形成する必要があり、上記ＪＰＥＧデコード処理や縮小処理に時間を要する。この各処理時間を短縮するために、カメラ部８内でＹＵＶデータに基づいて形成したサムネイル画像を保存しておき、ＪＰＥＧデータを送信した後に、該サムネイル画像を送信することも考えられるが、この場合、カメラ部８側にサムネイル画像を保存するメモリが必要となるうえ、ＪＰＥＧデータとは別にサムネイル画像が送信されることとなるため、その送信時間が必要となる問題がある。
【００７１】
しかし、この第２の実施の形態の携帯電話機の場合、ＪＰＥＧデータと同時にサムネイルデータを送信することができるため、カメラ部８側にサムネイルデータを保存するためのメモリを不要とすることができ、該カメラ部８のサイズやコストを小さくすることができる。
【００７２】
また、サムネイルデータ用の送信時間を設けることなく、カメラ部８からＪＰＥＧデータとサムネイルデータとを同時にカメラＩＦ１３に送信することができるため、カメラＩＦ１３側においてＪＰＥＧデータとサムネイルデータとをリアルタイムで取得することができる。
【００７３】
また、カメラＩＦ１３側では、ＪＰＥＧデータと共にサムネイルデータを取得することができるため、サムネイル画像の表示時には、このサムネイルデータをそのまま表示部５に表示すればよく、サムネイル画像の表示までに要する時間を短縮化することができうえ、カメラＩＦ１３側における縮小処理機能の省略を可能とすることができる。
【００７４】
［第３の実施の形態］
次に、本発明の第３の実施の形態となる携帯電話機の説明をする。上述の第２の実施の形態の携帯電話機は、カメラ部８が水平同期方式によりＪＰＥＧデータ及びサムネイルデータの送信を行うものであったが、この第３の実施の形態の携帯電話機は、カメラ部８が、データクロック（ＤＣＫ）に同期させてＪＰＥＧデータ及びサムネイルデータの送信を行うようにしたものである（ＤＣＫ同期方式）。
【００７５】
図９に、この第３の実施の形態の携帯電話機に設けられているカメラ部８のブロック図を示す。なお、この図９に示すカメラ部８の説明において、図７に示すカメラ部８と同じ動作を示すブロックには同じ符号を付し、重複した説明は省略することとする。
【００７６】
この図９からわかるようにカメラ部８は、上述のＪＰＥＧエンコード処理部２４、サムネイルデータ形成部３１、ＹＵＶスタートコード形成部３２及びＹＵＶエンドコード形成部３３と共に、データクロック入力端子４０を介して供給されるデータクロック（ＤＣＫ）に基づいて、ＪＰＥＧデータ、サムネイルデータ、ＹＵＶスタートコード及びＹＵＶエンドコードを同期させて送信するためのデータクロックを形成して出力切り替え部２６に供給するＤＣＫ形成部４１を有している。
【００７７】
〔ＤＣＫ同期方式におけるＹＵＶデータの出力動作〕
この第３の実施の形態の携帯電話機のカメラ部８は、上記設定によりＹＵＶデータの出力設定がなされている場合、制御部１２は、ＹＵＶデータの出力を選択するためのデータ選択制御信号を、図９に示すデータ選択制御信号入力端子２９を介して出力切り替え部２６に供給する。この場合、ＤＣＫ形成部４１は、ＹＵＶデータ形成部２３からＹＵＶデータが供給されている間、データクロックを形成し、これを出力切り替え部２６に供給する。
【００７８】
出力切り替え部２６は、ＤＣＫ形成部４１からデータクロックが供給されている間、ＹＵＶデータ形成部２３からのＹＵＶデータを出力端子３０を介して図１に示すカメラＩＦ１３に送信する。これにより、ＹＵＶデータ形成部２３からのＹＵＶデータが、データクロックに同期してカメラＩＦ１３に送信されることとなる。
【００７９】
なお、上記設定によりＹＵＶデータの出力設定がなされている場合、制御部１２は、ＪＰＥＧエンコード処理部２４、サムネイルデータ形成部３１、ＹＵＶスタートコード形成部３２及びＹＵＶエンドコード形成部３３に対する電力供給を停止制御する。これにより、ＹＵＶデータの出力時には、ＪＰＥＧエンコード処理部２４、サムネイルデータ形成部３１、ＹＵＶスタートコード形成部３２及びＹＵＶエンドコード形成部３３の動作を停止させることができるため、無駄な消費電力の削減を図ることができる。
【００８０】
〔ＤＣＫ同期方式におけるＪＰＥＧデータ及びサムネイルデータの出力動作〕
次に、上記設定によりＪＰＥＧデータの出力設定がなされている場合、制御部１２は、ＪＰＥＧデータの出力を選択するためのデータ選択制御信号をデータ選択制御信号入力端子２９を介して出力切り替え部２６に供給する。この場合、ＤＣＫ形成部４１は、ＪＰＥＧエンコード処理部２４からＪＰＥＧデータが供給されている間、サムネイルデータ形成部３１からのサムネイルデータが供給されている間、ＹＵＶスタートコード形成部３２からのＹＵＶスタートコードが供給されている間、及びＹＵＶエンドコード形成部３３からのＹＵＶエンドコードが供給されている間にそれぞれデータクロックを形成し、これを出力切り替え部２６に供給する。出力切り替え部２６は、ＤＣＫ形成部４１からデータクロックが供給されている間、ＪＰＥＧデータ、サムネイルデータ、ＹＵＶスタートコード及びＹＵＶエンドコードをそれぞれ切り替えて、出力端子３０を介して図１に示すカメラＩＦ１３に送信する。
【００８１】
図１０（ａ）〜図１０（ｅ）に、このようなＤＣＫ同期方式におけるＪＰＥＧデータ及びサムネイルデータの出力タイミングを示す。図１０（ａ）は、ＪＰＥＧエンコード処理部２４から出力されるＪＰＥＧデータを、図１０（ｂ）は、垂直同期信号入力端子２７から出力切り替え部２６に供給される垂直同期信号を、図１０（ｃ）は、水平同期信号入力端子２８から出力切り替え部２６に供給される水平同期信号を、図１０（ｄ）は、ＤＣＫ形成部４１から出力切り替え部２６に供給されるデータクロックを、図１０（ｅ）は、出力切り替え部２６から出力されるＪＰＥＧデータ、サムネイルデータ、ＹＵＶスタートコード及びＹＵＶエンドコードを示している。
【００８２】
この図１０（ａ）及び図１０（ｄ）からわかるように、ＤＣＫ形成部４１は、ＪＰＥＧデータのタイミングでデータクロックを形成すると共に、サムネイルデータ、ＹＵＶスタートコード及びＹＵＶエンドコードのタイミングでデータクロックを形成し、このデータクロックを出力切り替え部２６に供給する。
【００８３】
すなわち、通常のＤＣＫ同期方式においては、ＪＰＥＧデータのタイミングでのみデータクロックが形成されるのであるが、この実施の形態の場合、サムネイルデータの出力間、及びこのサムネイルデータのＹＵＶスタートコード及びＹＵＶエンドコードの出力間にもデータクロックが形成され出力切り替え部２６に供給される。そして、出力切り替え部２６が、この各データクロックに同期させてＪＰＥＧデータ、サムネイルデータ、このサムネイルデータのＹＵＶスタートコード及びＹＵＶエンドコードを切り替えてカメラＩＦ１３に出力する。これにより、ＪＰＥＧデータと共に、ＹＵＶフォーマットのサムネイルデータが該カメラＩＦ１３に送信されることとなる。
【００８４】
カメラＩＦ１３は、ＤＣＫ形成部４１により形成されたデータクロックのタイミングで、ＪＰＥＧデータ、サムネイルデータ、このサムネイルデータのＹＵＶスタートコード及びＹＵＶエンドコードを取り込む。そして、上述の「ＦＦ０３」のＹＵＶスタートコードから「ＦＦ０４」のＹＵＶエンドコードの間のデータをサムネイルデータとして検出することで、ＪＰＥＧデータとサムネイルデータとを分離する。
【００８５】
制御部１２は、この分離されたＪＰＥＧデータ及びサムネイルデータをメモリ１１に記憶制御する。そして、表示が指定された際に、サムネイルデータをメモリ１１から読み出して表示部５に表示制御し、或いはＪＰＥＧデータをメモリ１１から読み出して、当該ＪＰＥＧデータに対してＪＰＥＧデコード処理を施して表示部５に表示制御する。
【００８６】
［第３の実施の形態の効果］
以上の説明から明らかなように、この第３の実施の形態の携帯電話機のカメラ部８は、ＪＰＥＧデータ、サムネイルデータ形成部３１で形成されたＹＵＶフォーマットのサムネイルデータ、ＹＵＶスタートコード及びＹＵＶエンドコードの間にデータクロックを形成し、このデータクロックに同期させてＪＰＥＧデータ、及びタイミング的にＹＵＶスタートコードとＹＵＶエンドコードとで挟まれたサムネイルデータをカメラＩＦ１３に送信する。これにより、カメラ部８からカメラＩＦ１３に対して、ＪＰＥＧデータと共にＹＵＶフォーマットのサムネイルデータを送信することができる。
【００８７】
また、カメラＩＦ１３側では、上記各データに対応して形成されたデータクロックに同期して該各データを取り込み、ＹＵＶスタートコードとＹＵＶエンドコードとの間のデータをサムネイルデータとして検出することで、ＪＰＥＧデータとサムネイルデータとを分離し、メモリ１１に記憶制御する。これにより、ＪＰＥＧデータと共に送信されたサムネイルデータを正確に分離して取り扱うことができる。
【００８８】
そして、当該第３の実施の形態の携帯電話機は、この他、上述の第２の実施の形態の携帯電話機と同じ効果を得ることができる。
【００８９】
［第４の実施の形態］
次に、本発明の第４の実施の形態となる携帯電話機の説明をする。上述の第２及び第３の実施の形態の携帯電話機は、ＪＰＥＧデータ、サムネイルデータ、ＹＵＶスタートコード及びＹＵＶエンドコードに同期した水平同期信号或いはデータクロックを形成し、この水平同期信号或いはデータクロックのタイミングで上記各データをカメラ部８側からカメラＩＦ１３側に送信するものであったが、この第４の実施の形態の携帯電話機は、ＪＰＥＧデータに対して上述の無効データを挿入することで、該ＪＰＥＧデータのファイルサイズをＹＵＶフォーマットに対応する固定的なファイルサイズとすると共に、サムネイルデータ、ＹＵＶスタートコード及びＹＵＶエンドコードに対応する時間分、水平同期信号を延長処理し、この延長処理した水平同期信号に同期させてＪＰＥＧデータ（＋無効データ）、サムネイルデータ、ＹＵＶスタートコード及びＹＵＶエンドコードをカメラＩＦ１３側に送信するようにしたものである。
【００９０】
図１１に、この第４の実施の形態の携帯電話機に設けられているカメラ部８のブロック図を示す。なお、この図１１に示すカメラ部８の説明において、図１、及び図７に示すカメラ部８と同じ動作を示すブロックには同じ符号を付し、重複した説明は省略することとする。
【００９１】
この図１１からわかるようにカメラ部８は、上述の無効データ形成部２５、ＪＰＥＧエンコード処理部２４、サムネイルデータ形成部３１、ＹＵＶスタートコード形成部３２及びＹＵＶエンドコード形成部３３と共に、水平同期信号入力端子２８を介して供給されるＹＵＶフォーマットに対応する固定長の水平同期信号に基づいて、ＪＰＥＧデータ（＋無効データ）、サムネイルデータ、ＹＵＶスタートコード及びＹＵＶエンドコードを同期させるための水平同期信号を形成して出力切り替え部２６に供給するＨＳＹＮＣ形成部５０を有している。
【００９２】
〔ＹＵＶデータの出力動作〕
この第４の実施の形態の携帯電話機のカメラ部８は、上記設定によりＹＵＶデータの出力設定がなされている場合、制御部１２は、ＹＵＶデータの出力を選択するためのデータ選択制御信号を、図１１に示すデータ選択制御信号入力端子２９を介して出力切り替え部２６に供給する。この場合、ＨＳＹＮＣ形成部５０は、水平同期信号入力端子２８から供給される、ＹＵＶフォーマットに対応する固定長の水平同期信号をそのまま出力切り替え部２６に供給する。
【００９３】
出力切り替え部２６は、このＹＵＶフォーマットに対応する固定長の水平同期信号に同期させて、ＹＵＶデータ形成部２３からのＹＵＶデータを出力端子３０を介して図１に示すカメラＩＦ１３に送信する。これにより、ＹＵＶデータ形成部２３からのＹＵＶデータが、ＹＵＶフォーマットに対応する水平同期信号に同期してカメラＩＦ１３に送信されることとなる。
【００９４】
なお、上記設定によりＹＵＶデータの出力設定がなされている場合、制御部１２は、ＪＰＥＧエンコード処理部２４、サムネイルデータ形成部３１、ＹＵＶスタートコード形成部３２、ＹＵＶエンドコード形成部３３、及び無効データ形成部２５に対する電力供給を停止制御する。これにより、ＹＵＶデータの出力時には、ＪＰＥＧエンコード処理部２４、サムネイルデータ形成部３１、ＹＵＶスタートコード形成部３２、ＹＵＶエンドコード形成部３３、及び無効データ形成部２５の動作を停止させることができるため、無駄な消費電力の削減を図ることができる。
【００９５】
〔ＪＰＥＧデータ及びサムネイルデータの出力動作〕
次に、上記設定によりＪＰＥＧデータの出力設定がなされている場合、制御部１２は、ＪＰＥＧデータの出力を選択するためのデータ選択制御信号をデータ選択制御信号入力端子２９を介して出力切り替え部２６に供給する。この場合、ＨＳＹＮＣ形成部５０は、ＪＰＥＧデータ、及びこのＪＰＥＧデータに挿入された無効データに対応するＹＵＶフォーマットの水平同期信号を、サムネイルデータ、ＹＵＶスタートコード、及びＹＵＶエンドコードの時間分延長した水平同期信号を形成し、これを出力切り替え部２６に供給する。出力切り替え部２６は、このような延長処理が施された水平同期信号に同期させてＪＰＥＧデータ、無効データ、サムネイルデータ、ＹＵＶスタートコード及びＹＵＶエンドコードを、出力端子３０を介して図１に示すカメラＩＦ１３に送信する。
【００９６】
図１２（ａ）〜図１２（ｄ）に、このような延長処理した水平同期信号に基づくＪＰＥＧデータ及びサムネイルデータの出力タイミングを示す。図１２（ａ）は、ＪＰＥＧエンコード処理部２４から出力されるＪＰＥＧデータを、図１２（ｂ）は、垂直同期信号入力端子２７から出力切り替え部２６に供給される垂直同期信号を、図１２（ｃ）は、ＨＳＹＮＣ形成部５０から出力切り替え部２６に供給される上記延長処理のなされた水平同期信号を、図１２（ｄ）は、出力切り替え部２６から出力されるＪＰＥＧデータ、無効データ、サムネイルデータ、ＹＵＶスタートコード及びＹＵＶエンドコードを示している。
【００９７】
この図１２（ａ）及び図１２（ｃ）からわかるように、ＨＳＹＮＣ形成部５０は、ＪＰＥＧデータ、無効データ、サムネイルデータ、ＹＵＶスタートコード、及びＹＵＶエンドコードの間、ハイレベルとなる水平同期信号を形成し、この水平同期信号を出力切り替え部２６に供給する。すなわち、ＨＳＹＮＣ形成部５０は、通常のＹＵＶフォーマットに対応する水平同期信号に対して、サムネイルデータ、ＹＵＶスタートコード、及びＹＵＶエンドコードの時間分、延長処理を施した水平同期信号を形成して、出力切り替え部２６に供給する。そして、出力切り替え部２６が、この延長処理の施された水平同期信号に同期させてＪＰＥＧデータ、無効データ、サムネイルデータ、このサムネイルデータのＹＵＶスタートコード及びＹＵＶエンドコードを切り替えてカメラＩＦ１３に出力する。これにより、図１３に示すように上記延長処理のなされた固定長の水平同期信号を用いた水平同期方式において、ＪＰＥＧデータ（＋無効データ）と共に、ＹＵＶフォーマットのサムネイルデータを該カメラＩＦ１３に送信することができる。
【００９８】
カメラＩＦ１３は、ＨＳＹＮＣ形成部５０により形成された水平同期信号のタイミングで、ＪＰＥＧデータ、無効データ、サムネイルデータ、このサムネイルデータのＹＵＶスタートコード及びＹＵＶエンドコードを取り込む。そして、上述の「ＦＦ０３」のＹＵＶスタートコードから「ＦＦ０４」のＹＵＶエンドコードの間のデータをサムネイルデータとして検出することで、ＪＰＥＧデータとサムネイルデータとを分離する。
【００９９】
また、カメラＩＦ１３は、この分離したＪＰＥＧデータから、上述の「ＦＦ、０２」の無効データを検出し、この無効データを除去することで、無効データが挿入された状態のＪＰＥＧデータからＪＰＥＧデータのみを抽出する（図６（ａ）、図６（ｂ）参照）。制御部１２は、このカメラＩＦ１３により抽出されたＪＰＥＧデータ、及び該カメラＩＦ１３により分離されたサムネイルデータを、それぞれメモリ１１に記憶制御する。
【０１００】
そして、制御部１２は、表示が指定された際に、サムネイルデータをメモリ１１から読み出して表示部５に表示制御し、或いはＪＰＥＧデータをメモリ１１から読み出して、当該ＪＰＥＧデータに対してＪＰＥＧデコード処理を施して表示部５に表示制御する。
【０１０１】
［第４の実施の形態の効果］
以上の説明から明らかなように、この第４の実施の形態の携帯電話機のカメラ部８は、ＪＰＥＧデータに対して無効データを挿入することで、該ＪＰＥＧデータのファイルサイズをＹＵＶフォーマットに対応する固定的なファイルサイズとすると共に、サムネイルデータ、ＹＵＶスタートコード及びＹＵＶエンドコードに対応する時間分、水平同期信号を延長処理し、この延長処理した水平同期信号に同期させてＪＰＥＧデータ（＋無効データ）、サムネイルデータ、ＹＵＶスタートコード及びＹＵＶエンドコードをカメラＩＦ１３側に送信する。これにより、上記延長処理を施した固定長の水平同期信号を用いた水平同期方式に基づいて、ＪＰＥＧデータ及びサムネイルデータを同時に送信することができる他、上述の各実施の形態の携帯電話機と同じ効果を得ることができる。
【０１０２】
［変形例］
上述の実施の形態は、本発明を携帯電話機に適用した例を説明したが、本発明は、この携帯電話機の他、カメラ機能を有する機器であれば、ＰＨＳ電話機（PHS：Personal Handyphone System）、ＰＤＡ装置（PDA：Personal Digital Assistant）、携帯ゲーム機、或いはノート型のパーソナルコンピュータ装置等にも適用してもよい。いずれの場合でも、上述と同じ効果を得ることができる。
【０１０３】
また、上述の実施の形態の説明では、無効データとして「ＦＦ、０２」を用い、ＹＵＶスタートコードとして「ＦＦ０３」を用い、ＹＵＶエンドコードとして「ＦＦ０４」を用いることとしたが、これらは一例であり、フォーマットで規定されている有効データ以外のデータ（コード）を選択的に用いることで、上述と同じ効果を得ることができる。
【０１０４】
最後に、本発明は、本発明の一例として開示したに過ぎない上述の各実施の形態に限定されることはない。このため、本発明に係る技術的思想を逸脱しない範囲であれば、上述の各実施の形態以外であっても設計等に応じて種々の変更が可能であることは勿論であることを付け加えておく。
【図面の簡単な説明】
【０１０５】
【図１】本発明を適用した実施の形態となる携帯電話機のブロック図である。
【図２】本発明を適用した第１の実施の形態となる携帯電話機に設けられているカメラ部のブロック図である。
【図３】第１の実施の形態の携帯電話機に設けられているカメラ部において、ＪＰＥＧデータに挿入される無効データを説明するための図である。
【図４】第１の実施の形態の携帯電話機に設けられているカメラ部において、ＪＰＥＧデータに挿入される無効データの挿入タイミングを説明するためのタイムチャートである。
【図５】第１の実施の形態の携帯電話機に設けられているカメラ部において、ＪＰＥＧデータに挿入された無効データを模式的に示した図である。
【図６】第１の実施の形態の携帯電話機に設けられているカメラＩＦが、無効データが挿入されたＪＰＥＧデータから、該無効データを検出して除去する様子を模式的に示した図である。
【図７】本発明を適用した第２の実施の形態となる携帯電話機に設けられているカメラ部のブロック図である。
【図８】第２の実施の形態の携帯電話機に設けられているカメラ部において、水平同期方式に基づいて送信されるＪＰＥＧデータ及びサムネイルデータを示すタイムチャートである。
【図９】本発明を適用した第３の実施の形態となる携帯電話機に設けられているカメラ部のブロック図である。
【図１０】第３の実施の形態の携帯電話機に設けられているカメラ部において、データクロック同期方式に基づいて送信されるＪＰＥＧデータ及びサムネイルデータを示すタイムチャートである。
【図１１】本発明を適用した第４の実施の形態となる携帯電話機に設けられているカメラ部のブロック図である。
【図１２】第４の実施の形態の携帯電話機に設けられているカメラ部において、延長処理のなされた固定長の水平同期信号を用いた水平同期方式に基づいて送信されるＪＰＥＧデータ、無効データ及びサムネイルデータを示すタイムチャートである。
【図１３】第４の実施の形態の携帯電話機に設けられているカメラ部において、ＪＰＥＧデータ、ＪＰＥＧデータに挿入された無効データ、及びＪＰＥＧデータと共に送信されるサムネイルデータを模式的に示した図である。
【符号の説明】
【０１０６】
１  アンテナ、２  通信回路、３  スピーカ部、４  マイクロホン部、５  表示部、６  操作部、７  発光部（ＬＥＤ）、８  カメラ部、９  バイブレーションユニット、１０  タイマ、１１  メモリ、１２  制御部、１３  カメラインターフェイス部（カメラＩＦ）、２１  撮像レンズ、２２  イメージセンサ、２３  ＹＵＶデータ形成部、２４  ＪＰＥＧエンコード処理部、２５  無効データ形成部、２６  出力切り替え部、２７  垂直同期信号入力端子、２８  水平同期信号入力端子、２９  データ選択制御信号入力端子、３０  出力端子、３１  サムネイルデータ形成部、３２  ＹＵＶスタートコード形成部、３３  ＹＵＶエンドコード形成部、３４  水平同期信号形成部（ＨＳＹＮＣ形成部）、４０  データクロック入力端子、４１  データクロック形成部（ＤＣＫ形成部）、５０  水平同期信号形成部（ＨＳＹＮＣ形成部）
【図１】
2008092292.tif 000003
【図２】
2008092292.tif 000004
【図３】
2008092292.tif 000005
【図４】
2008092292.tif 000006
【図５】
2008092292.tif 000007
【図６】
2008092292.tif 000008
【図７】
2008092292.tif 000009
【図８】
2008092292.tif 000010
【図９】
2008092292.tif 000011
【図１０】
2008092292.tif 000012
【図１１】
2008092292.tif 000013
【図１２】
2008092292.tif 000014
【図１３】
2008092292.tif 000015